(57)【要約】【課題】忘れ物の傘等の物品にＲＦＩＤタグを付けて貸出情報を記憶させて貸し出しができるようにし、資源の有効活用ができるようにする。【解決手段】傘等の物品に取り付けられたＲＦＩＤタグに記憶されている貸出情報は、ＲＦＩＤリーダライタ２００によって読み出され、貸出情報に含まれる販売額の支払いを利用者から受けて物品が貸し出される。返却時には、貸出情報の貸出日から返却日までの日数と貸出情報の貸出単価に基づいて貸出額が算出され、販売額（購入額）から貸出額を差し引いた額が返金額として表示装置３００の画面に表示される。利用者は、物品の返却時に返金額を受け取る。【選択図】図１
2008084165.tif 000002
【特許請求の範囲】
【請求項１】
物品に添付されたＲＦＩＤタグに記録された貸出情報を読み取る読取手段と、
前記貸出情報に含まれる前記物品の識別情報と販売額とに基づいて販売額の支払いを受けて貸し出された前記物品が返却されたとき、前記販売額から、前記貸出情報に含まれる貸出単価と貸出期間とに基づいて算出された貸出額を差し引いた額を返還金として算出する算出手段と、
前記算出手段によって算出された前記返還金を所定の表示装置に表示する表示制御手段と
を備えることを特徴とする物品貸出システム。
【請求項２】
前記読取手段によって読み取られた前記貸出情報を記憶する記憶手段と、
前記物品の貸出時および返却時に前記ＲＦＩＤタグに記憶された前記貸出情報および前記記憶手段によって記憶された前記貸出情報を更新する更新手段と
をさらに備えることを特徴とする請求項１に記載の物品貸出システム。
【請求項３】
前記貸出情報には、前記物品の識別情報、前記貸出単価、および前記貸出期間の他に、登録日、取扱駅ＩＤ、物品の種類、販売額、貸出日、貸出時刻、返却日、返却時刻、貸出額、貸出額累計、拾得日、拾得駅のうちの少なくともいずれか１つがさらに含まれる
ことを特徴とする請求項１または２に記載の物品貸出システム。
【発明の詳細な説明】
【技術分野】
【０００１】
本発明は物品貸出システムに関し、特に、忘れ物として拾得した傘を貸し出す物品貸出システムに関する。
【背景技術】
【０００２】
従来、傘に内蔵させたＩＣタグ（ＲＦＩＤ（Radio Frequency Identification）タグ）に個人情報等を記録するとともに、データ保存装置にもその個人情報を保存し、傘を無くした後にその傘を取得した者が、その傘に内蔵されているＩＣタグに記録されている個人情報等を読み取り、データ保存装置に同一の個人情報があるか否かを確認し、所有者に対してメッセージを送ることにより、傘の所有者が傘の所在を知ることができるようにしたものがある（例えば、特許文献１参照）。
【０００３】
【特許文献１】特開２００５−２２２５０８号公報
【発明の開示】
【発明が解決しようとする課題】
【０００４】
しかしながら、背景技術では、傘を無くした場合にその傘の所在を知ることはできるが、持ち主の分からない忘れ物の傘を貸し出すなどして有効利用することはできないという問題があった。
【０００５】
本発明はこのような状況に鑑みてなされたものであり、忘れ物の傘等の物品にＲＦＩＤタグを取り付けて貸し出しに必要な貸出情報を記憶させ、物品の貸出を行うことができるようにし、資源を有効利用することができる物品貸出システムを提供することを目的とする。
【課題を解決するための手段】
【０００６】
請求項１に記載の物品貸出システムは、物品に添付されたＲＦＩＤタグに記録された貸出情報を読み取る読取手段と、前記貸出情報に含まれる前記物品の識別情報と販売額とに基づいて販売額の支払いを受けて貸し出された前記物品が返却されたとき、前記販売額から、前記貸出情報に含まれる貸出単価と貸出期間とに基づいて算出された貸出額を差し引いた額を返還金として算出する算出手段と、前記算出手段によって算出された前記返還金を所定の表示装置に表示する表示制御手段とを備えることを特徴とする。
また、前記読取手段によって読み取られた前記貸出情報を記憶する記憶手段と、前記物品の貸出時および返却時に前記ＲＦＩＤタグに記憶された前記貸出情報および前記記憶手段によって記憶された前記貸出情報を更新する更新手段とをさらに備えるようにすることができる。
また、前記貸出情報には、前記物品の識別情報、前記貸出単価、および前記貸出期間の他に、登録日、取扱駅ＩＤ、物品の種類、販売額、貸出日、貸出時刻、返却日、返却時刻、貸出額、貸出額累計、拾得日、拾得駅のうちの少なくともいずれか１つがさらに含まれるようにすることができる。
【発明の効果】
【０００７】
本発明の物品貸出システムによれば、忘れ物として拾得した傘等の物品を、その物品の時価等に応じた所定の料金で貸し出し、返却時に貸出期間および貸し出し単価に応じて返金することにより、高い確率で返却されるようにすることができ、忘れ物である傘等の物品に付加価値を付けて有効利用することができる。これにより、これまでは廃棄されていた忘れ物を再利用することができ、資源の浪費を抑制することができる。
【発明を実施するための最良の形態】
【０００８】
図１は、本発明の一実施の形態の構成例を示すブロック図である。同図に示すように、本実施の形態は、パーソナルコンピュータ（ＰＣ）１００と、ＰＣ１００に接続されたＲＦＩＤ（Radio Frequency Identification）リーダライタ２００と、表示装置３００と、キーボードやマウス等からなる入力装置４００等により構成されている。
【０００９】
ＰＣ１００は、ＣＰＵ（Central Processing Unit）、ＲＡＭ（Random Access Memory）、ＲＯＭ（Read Only Memory）等により構成される制御部１１０と、ハードディスク等で構成される記憶部１２０と、ＲＦＩＤリーダライタ２００を制御し、ＲＦＩＤリーダライタ２００によって読み取られたデータを制御部１１０にバス１７０を介して供給するインタフェース（Ｉ／Ｆ）１３０と、表示装置３００を制御し、制御部１１０より供給された表示データを画面に表示させるインタフェース１４０と、入力装置４００を制御し、入力装置４００の操作に対応するデータやコマンド等を制御部１１０に供給するインタフェース（Ｉ／Ｆ）１５０等の各構成要素から構成され、各構成要素はバス１７０を介して接続されている。
【００１０】
制御部１１０のＲＡＭには、ＲＦＩＤリーダライタ制御部１１１、表示制御部１１２、入力制御部１１３、データ管理部１１４、返金処理部１１５等の各種処理を実行するプログラムが展開されている。
【００１１】
ＲＦＩＤリーダライタ制御部１１１は、インタフェース１３０を介してＲＦＩＤリーダライタ２００を制御し、ＲＦＩＤタグ５００に記憶されている貸出情報を読み取るようになっている。表示制御部１１２は、インタフェース１４０を介して表示装置３００を制御し、後述するように、返金処理部１１５によって算出された返金額を表示装置３００の画面に表示させるようになっている。
【００１２】
入力制御部１１３は、インタフェース１５０を介して入力装置４００を制御し、入力装置４００を構成するキーの操作に対応するデータやコマンドを入力するようになっている。データ管理部１１４は、記憶部１２０に記憶されている貸出情報テーブルを更新したり、新たにレコードを登録したりするようになっている。また、ＲＦＩＤタグ５００に記憶されている貸出情報と、記憶部１２０に記憶されている貸出情報テーブルの各レコードとの同一性を保持する機能も有している。
【００１３】
返金処理部１１５は、後述するように、傘が返却されたとき、その傘のＲＦＩＤタグ５００に登録されている販売額と、貸出単価と、貸出日から返却日までの日数から算出された貸出期間に基づいて、貸出額を算出し、さらに返金額を算出するようになっている。算出された貸出期間および貸出額は、ＲＦＩＤタグ５００に記録され更新されるとともに、記憶部１２０の貸出情報テーブルの対応するレコードに書き込まれ、更新される。例えば、返還金は、貸出単価と貸出期間とを乗算して得られた金額（貸出額）を販売額から差し引いた金額とすることができる。
【００１４】
記憶部１２０には、貸出情報テーブルが記憶されている。貸出記憶テーブルは、傘を識別するための識別情報（傘ＩＤ）と、拾得した傘を貸出用として登録した登録日と、取扱駅の識別情報（取扱駅ＩＤ）と、傘の種類（折り畳み傘、ビニール傘、ジャンプ傘、傘の模様、その他の特徴等）と、販売額（貸出時に利用者から受け取る金額（利用者にとっては購入額））、貸出日、貸出時刻、返却日、返却時刻、貸出期間、貸出単価（１日或いは１時間あたりの貸出金額）、今回貸出額、貸出額累計、傘の拾得情報（拾得日、拾得駅、傘の特徴等）等の各項目のデータが記憶されたレコードによって構成されている。
【００１５】
傘に取り付けられたＲＦＩＤタグ５００にも、貸出情報テーブルの各項目のデータが記憶されている。
【００１６】
図２は、傘の貸出から返却までに行われる各種処理の手順を示すフローチャートである。以下、図２のフローチャートを参照して、その手順について説明する。まず、ステップＳ１において、貸出処理が行われる。ここでは、傘に取り付けられているＲＦＩＤタグ５００には、傘ＩＤの他の貸出情報は未だ何も記録されていないものとする。
【００１７】
まず、ＰＣ１００の制御部１１０のＲＦＩＤリーダライタ制御部１１１の制御下、傘に取り付けられたＲＦＩＤタグ５００から傘ＩＤが読み取られる。次に、記憶部１２０に記憶されているその傘ＩＤを含むレコードが貸出情報テーブルから検索され、その傘の貸出情報として取得される。次に、その傘ＩＤに対応する販売額が、表示制御部１１２の制御下、表示装置３００の画面に表示される。
【００１８】
その後、ステップＳ２において、ＲＦＩＤリーダライタ制御部１１１の制御下、貸出情報テーブルから検索された上記傘ＩＤに対応するレコードの各項目のデータが貸出情報として傘に取り付けられたＲＦＩＤタグ５００にＲＦＩＤリーダライタ２００を介して書き込まれる。
【００１９】
次に、ステップＳ３において、表示装置３００の画面に表示された販売額を利用者から受け取り、傘の貸し出しが行われる。
【００２０】
次に、ステップＳ４において、利用者から傘の返却があったか場合、ステップＳ５に進み、利用者から所定の基準日数が経過しても傘の返却が無かった場合、ステップＳ９に進む。
【００２１】
ステップＳ５においては、ＲＦＩＤリーダライタ制御部１１１の制御下、ＲＦＩＤリーダライタ２００によって、利用者から返却された傘に取り付けられたＲＦＩＤタグ５００から貸出情報が読み出される。
【００２２】
次に、ステップＳ６において、貸出情報の読み取りができたか否かが判定される。貸出情報の読み取りができなかったと判定された場合、ステップＳ９に進む。例えば、ＲＦＩＤタグ５００が取り付けられていない傘が返却されたり、ＲＦＩＤタグ５００が破損したりしていた場合、貸出情報の読み取りができないため、ステップＳ９に進む。一方、貸出情報の読み取りができた場合、ステップＳ７に進む。
【００２３】
ステップＳ７においては、傘が破損していないか否かが目視により検査され、傘が破損している場合にはステップＳ９に進む。一方、傘が破損していない場合、ステップＳ８に進む。
【００２４】
ステップＳ８においては、返金処理部１１５により返金処理が行われる。即ち、傘に取り付けられたＲＦＩＤ５００より読み出された貸出情報に含まれる貸出単価と貸出期間とを乗算して得られる貸出額を販売額（購入額）から差し引いた金額が返金額とされる。算出された返金額は、表示制御部１１２の制御下、表示装置３００の画面に表示される。利用者に対して返金額を返金することにより、傘の貸出処理が完結する。
【００２５】
ステップＳ９においては、傘が破損していたり、ＲＦＩＤタグ５００がはずれていたり、破損していたりしているため、利用者に対して返金はされず、傘は利用者による買い取りとなる。ステップＳ８またはステップＳ９の処理が終了すると、本処理は終了する。
【００２６】
以上説明したように、傘にＲＦＩＤタグ５００を取り付けて貸出情報を記憶させることにより、傘の貸出状況を管理することができる。また、傘にはビニール傘や折り畳み傘から高価な傘まで様々な傘が存在するが、傘毎に設定された貸出単価と、貸出期間から、適正な貸出額を算出することができる。また、利用者への貸出時に傘の時価等に相当する販売額を受け取っているので、傘が返却されなかった場合や破損した場合等には利用者に対する返却金をゼロにすることにより、貸出側が損害を被ることがないようにすることができる。
【００２７】
なお、上記実施の形態の構成及び動作は例であって、本発明の趣旨を逸脱しない範囲で適宜変更することができることは言うまでもない。
【産業上の利用可能性】
【００２８】
本発明は、例えば、傘のみならず、その他の物品を貸し出す場合にも適用することができる。
【図面の簡単な説明】
【００２９】
【図１】本発明の一実施の形態の構成例を示すブロック図である。
【図２】傘の貸出から返却までに行われる各種処理の手順を示すフローチャートである。
【符号の説明】
【００３０】
１００  ＰＣ
１１０  制御部
１１１  ＲＦＩＤリーダライタ制御部
１１２  表示制御部
１１３  入力制御部
１１４  データ管理部
１１５  返金処理部
１２０  記憶部
１３０，１４０，１５０  Ｉ／Ｆ
２００  ＲＦＩＤリーダライタ
３００  表示装置
４００  入力装置
５００  ＲＦＩＤタグ
【図１】
2008084165.tif 000003
【図２】
2008084165.tif 000004